(57)【特許請求の範囲】
【請求項１】
活性汚泥及び廃水を混合し生物処理槽にて生物処理して汚泥含有生物処理水を得、該汚泥含有生物処理水を固液分離して浄化水を得る廃水処理方法であって、槽内又は槽外に配された膜ユニットにより汚泥含有生物処理水を膜分離して濃縮する膜濃縮槽と、該膜濃縮槽と別体の槽となるように形成された収容槽とを用い、該膜濃縮槽と該収容槽とのそれぞれに移送される廃水の移送割合を調節して廃水を該膜濃縮槽と該収容槽とに供給する廃水供給工程と、前記膜濃縮槽内の活性汚泥濃度を高めてＭＬＳＳ濃度を１０，０００ｍｇ／Ｌ以上、活性汚泥に対するＢＯＤの負荷（ＢＯＤ汚泥負荷）を０．２ｋｇＢＯＤ／ｋｇＳＳ／ｄ以下とする高濃度化工程と、ＭＬＳＳ濃度が高められた汚泥含有生物処理水の一部を前記膜濃縮槽外に排出し、該排出された汚泥含有生物処理水の全量を前記収容槽に供給して該収容槽に収容し、該収容槽内の汚泥含有生物処理水を固液分離槽に供給する汚泥含有生物処理水供給工程と、該固液分離槽での固液分離により、固液分離処理水たる浄化水を得る浄化水生成工程とを実施し、前記汚泥含有生物処理水供給工程で前記固液分離槽に供給される汚泥含有生物処理水は、前記固液分離槽での固液分離により前記浄化水と分離された汚泥濃縮水の一部を前記収容槽に返送し、返送された汚泥濃縮水を、前記膜濃縮槽から排出されて収容槽に供給された汚泥含有生物処理水に加えて生物処理したものであることを特徴とする廃水処理方法。
【請求項２】
前記活性汚泥として、担体により凝集されたものを用いる請求項１記載の廃水処理方法。
【発明の詳細な説明】
【技術分野】
【０００１】
本発明は、廃水処理方法に関する。
【背景技術】
【０００２】
従来、廃水処理方法では、活性汚泥及び廃水を混合し生物処理槽にて生物処理して汚泥含有生物処理水を得、該汚泥含有生物処理水を固液分離して浄化水を得ている。
【０００３】
ところで、斯かる廃水処理方法では、通常、汚泥含有生物処理水の固液分離性を高めるという観点（固液分離性の指標である活性汚泥沈降率（ＳＶ３０）は、汚泥体積指標（ＳＶＩ）に活性汚泥の濃度（ＭＬＳＳ濃度）を掛けたものであり、斯かる関係式から、ＭＬＳＳ濃度を低下させるとＳＶ３０も低下させることができると考えられる。）から、前記汚泥含有生物処理水のＭＬＳＳ濃度を８，０００ｍｇ／Ｌ以下にしつつ、処理スペース効率の観点から前記活性汚泥に対するＢＯＤの負荷（ＢＯＤ汚泥負荷）を通常０．２ｋｇＢＯＤ／ｋｇＳＳ／ｄよりも大きく０．４ｋｇＢＯＤ／ｋｇＳＳ／ｄ以下に設定している（例えば、非特許文献１，２）。
【先行技術文献】
【非特許文献】
【０００４】
【非特許文献１】下水道施設計画・設計指針と解説  後編  2001年版，社団法人日本下水道協会，p82-83
【非特許文献２】水処理工学−理論と応用−，井出哲夫編著，p25，技宝堂出版（株），1976年
【発明の概要】
【発明が解決しようとする課題】
【０００５】
しかしながら、従来の廃水処理方法では、汚泥含有生物処理水を十分に固液分離することができず、固液分離処理水たる浄化水を十分に得ることができないという問題がある。
【０００６】
これに対して、本発明者らが鋭意研究したところ、汚泥含有生物処理水の活性汚泥の濃度（ＭＬＳＳ濃度）を１０，０００ｍｇ／Ｌ以上にしつつ、活性汚泥に対するＢＯＤの負荷（ＢＯＤ汚泥負荷）が０．２ｋｇＢＯＤ／ｋｇＳＳ／ｄ以下となるようにすることにより、固液分離性に優れた汚泥含有生物処理水を生成し得ることを見出した。
【０００７】
ところで、汚泥含有生物処理水のＭＬＳＳ濃度は通常８，０００ｍｇ／Ｌ以下であり、斯かる通常のＭＬＳＳ濃度の汚泥含有生物処理水からＭＬＳＳ濃度が１０，０００ｍｇ／Ｌ以上の汚泥含有生物処理水を効率良く得るには、膜ユニットにより汚泥含有生物処理水（例えば、ＭＬＳＳ濃度が８，０００ｍｇ／Ｌ以下のもの）を膜分離して生物処理槽としての膜濃縮槽内における活性汚泥濃度を高める高濃度化を実施することが考えられる。
【０００８】
しかるに、斯かる方法に於いては、膜ユニットの濾過膜の目詰まりの原因物質である溶解性微生物代謝物（ＳＭＰ：Ｓｏｌｕｂｌｅ  Ｍｉｃｒｏｂｉａｌ  Ｐｒｏｄｕｃｔｓ）が膜濃縮槽内において濃縮され、該溶解性微生物代謝物（ＳＭＰ）により濾過膜に目詰まりが生じてしまう。
そして、斯かる目詰まりにより、汚泥含有生物処理水を十分に膜分離することができず、浄化水を得ることが困難となる虞がある。一方で、濾過膜を目詰まりさせる溶解性微生物代謝物（ＳＭＰ）を除去するには、薬品等で膜を洗浄する必要等があり、手間がかかったり、薬品により濾過膜が損傷されてしまう等の問題も生じ得る。
【０００９】
本発明は、上記問題点に鑑み、膜分離にて固液分離性に優れた汚泥含有生物処理水を得つつ、濾過膜の目詰まりの虞の少ない廃水処理方法および廃水処理装置を提供することを課題とする。
【課題を解決するための手段】
【００１０】
本発明は、活性汚泥及び廃水を混合し生物処理槽にて生物処理して汚泥含有生物処理水を得、該汚泥含有生物処理水を固液分離して浄化水を得る廃水処理方法であって、槽内又は槽外に配された膜ユニットにより汚泥含有生物処理水を膜分離して濃縮する膜濃縮槽と、該膜濃縮槽と別体の槽となるように形成された収容槽とを用い、該膜濃縮槽と該収容槽とのそれぞれに移送される廃水の移送割合を調節して廃水を該膜濃縮槽と該収容槽とに供給する廃水供給工程と、前記膜濃縮槽内の活性汚泥濃度を高めてＭＬＳＳ濃度を１０，０００ｍｇ／Ｌ以上、活性汚泥に対するＢＯＤの負荷（ＢＯＤ汚泥負荷）を０．２ｋｇＢＯＤ／ｋｇＳＳ／ｄ以下とする高濃度化工程と、ＭＬＳＳ濃度が高められた汚泥含有生物処理水の一部を前記膜濃縮槽外に排出し、該排出された汚泥含有生物処理水の全量を前記収容槽に供給して該収容槽に収容し、該収容槽内の汚泥含有生物処理水を固液分離槽に供給する汚泥含有生物処理水供給工程と、該固液分離槽での固液分離により、固液分離処理水たる浄化水を得る浄化水生成工程とを実施し、前記汚泥含有生物処理水供給工程で前記固液分離槽に供給される汚泥含有生物処理水は、前記固液分離槽での固液分離により前記浄化水と分離された汚泥濃縮水の一部を前記収容槽に返送し、返送された汚泥濃縮水を、前記膜濃縮槽から排出されて収容槽に供給された汚泥含有生物処理水に加えて生物処理したものであることを特徴とする廃水処理方法にある。
【００１１】
斯かる廃水処理方法によれば、前記高濃度化工程を実施することにより、膜分離にて固液分離性に優れた汚泥含有生物処理水を得ることができる。
また、斯かる廃水処理方法によれば、前記浄化水生成工程を実施することにより、ＭＬＳＳ濃度が高められた汚泥含有生物処理水の一部を前記膜濃縮槽外に排出することにより、前記膜濃縮槽内の溶解性微生物代謝物（ＳＭＰ）の一部を該膜濃縮槽外に排出することができるため、前記膜濃縮槽内にＳＭＰが蓄積されてしまうのを抑制でき、濾過膜の目詰まりを抑制することができる。
従って、斯かる廃水処理方法によれば、膜分離にて固液分離性に優れた汚泥含有生物処理水を得つつ、濾過膜の目詰まりの虞を少なくすることができる。
【００１３】
また斯かる廃水処理方法によれば、前記廃水供給工程を実施することにより、流入する廃水の有機物濃度や水量が変動しても、固液分離性に優れた汚泥含有生物処理水を得るために適正な廃水量を前記膜濃縮槽に注入することが可能であるため固液分離性に優れた汚泥含有生物処理水を効率よく得ることができる。
さらに斯かる廃水処理方法によれば、該収容槽の汚泥含有生物処理水が汚泥濃縮水により活性汚泥濃度を高められたものであることから、前記膜濃縮槽に移送されなかった残りの廃水が前記収容槽に多量に移送されても、該廃水に含まれる有機物を十分に分解し得るため、汚泥含有生物処理水に含まれる活性汚泥濃度をより一層高め得る。
さらに、斯かる廃水処理方法によれば、濃縮された汚泥含有生物処理水を収容槽において収容し且つ固液分離により得られた汚泥濃縮水を収容槽に加えて生物処理することにより、該収容槽において汚泥含有生物処理水のＭＬＳＳ濃度を１０，０００ｍｇ／Ｌ以上にして、収容槽においても固液分離性に優れた汚泥含有生物処理水を効率良く得ることができる。
従って、斯かる廃水処理方法によれば、固液分離性に優れた汚泥含有生物処理水を得つつ、濾過膜の目詰まりの虞をより一層少なくすることができるという利点がある。
【００１４】
さらに、本発明に係る廃水処理方法においては、好ましくは、前記活性汚泥として、担体により凝集されたものを用いる。
【００１５】
また、本発明は、活性汚泥及び廃水を混合し該生物処理槽にて生物処理して汚泥含有生物処理水を得る生物処理部と、該汚泥含有生物処理水を固液分離する固液分離部とを備え、前記生物処理部及び前記固液分離部により浄化水を得るように構成されてなる廃水処理装置であって、
前記生物処理部が、汚泥含有生物処理水を膜分離する膜ユニットを備え、該膜ユニットにより汚泥含有生物処理水が膜分離されて前記生物処理槽としての膜濃縮槽内の活性汚泥濃度が高まるように構成されてなり、
前記膜ユニットが、槽内又は槽外に配されてなり、
前記生物処理部により汚泥含有生物処理水の活性汚泥濃度が高められてＭＬＳＳ濃度が１０，０００ｍｇ／Ｌ以上となるようにしつつ、活性汚泥に対するＢＯＤの負荷（ＢＯＤ汚泥負荷）が０．２ｋｇＢＯＤ／ｋｇＳＳ／ｄ以下となるように構成され、更に、ＭＬＳＳ濃度が高められた汚泥含有生物処理水の一部が前記膜濃縮槽外に排出され固液分離槽に供給され、固液分離により、固液分離処理水たる浄化水を得るように構成されてなることを特徴とする廃水処理装置にある。
【発明の効果】
【００１６】
以上のように、本発明によれば、膜分離にて固液分離性に優れた汚泥含有生物処理水を得つつ、濾過膜の目詰まりの虞を少なくすることができる。
【図面の簡単な説明】
【００１７】
【図１】一実施形態に係る廃水処理装置の概略図。
【図２】図１のＡＡ矢視断面図。
【図３】一実施形態に係る廃水処理装置の概略図。
【図４】一実施形態に係る廃水処理装置の概略図。
【図５】一実施形態に係る廃水処理装置の概略図。
【図６】一実施形態に係る廃水処理装置の概略図。
【図７】一実施形態に係る生物凝集槽の概略図。
【図８】一実施形態に係る生物凝集槽の概略図。
【図９】一実施形態に係る生物凝集槽の概略図。
【図１０】一実施形態に係る廃水処理装置の概略図。
【図１１】試験例１で実施した混合水の生物処理におけるＭＬＳＳ濃度とＢＯＤ汚泥負荷との組み合わせ。
【図１２】試験例２で実施した混合水の生物処理におけるＭＬＳＳ濃度とＢＯＤ汚泥負荷との組み合わせ。
【発明を実施するための形態】
【００１８】
以下、添付図面を参照しつつ、本発明の一実施形態について説明する。
【００１９】
まず、本実施形態に係る廃水処理装置について説明する。
【００２０】
本実施形態の廃水処理装置は、活性汚泥及び廃水が混合されて混合水が生成され、該混合水が生物処理されて汚泥含有生物処理水を得、該汚泥含有生物処理水を固液分離して浄化水を得るように構成されてなる。
【００２１】
前記廃水としては、生物分解することができる有機物等を含有する廃水であれば、特に限定されるものではないが、例えば、生活廃水や、食品工場、化学工場、電子産業工場、パルプ工場等の工場の廃水等が挙げられる。
【００２２】
前記生物処理としては、具体的には、廃水処理等を挙げることができる。
前記廃水処理は、細菌、原生動物、後生動物等の生物種を有する活性汚泥と、有機物を含む廃水とを曝気しながら混合して、該有機物を前記生物種で分解する処理である。
【００２３】
具体的には、図１に示すように、本実施形態の廃水処理装置１は、活性汚泥及び廃水Ａを混合して混合水を生成し該混合水を生物処理槽２１にて生物処理して汚泥含有生物処理水を得る生物処理部２と、該汚泥含有生物処理水から、固液分離により、活性汚泥の含有率が前記汚泥含有生物処理水よりも少ない固液分離処理水と活性汚泥が前記汚泥含有生物処理水よりも濃縮された汚泥濃縮水Ｃとを生成する固液分離槽３１を有する固液分離部３とを備えてなる。
【００２４】
また、本実施形態の廃水処理装置１は、前記生物処理部２及び前記固液分離部３により浄化水Ｂを得るように構成されてなる。
【００２５】
さらに、本実施形態の廃水処理装置１は、生物処理部２に原水Ａが供給されるように構成されてなる。また、本実施形態の廃水処理装置１は、生物処理部２で生成された汚泥含有生物処理水が固液分離部３に、固液分離部３で生成された固液分離処理水が浄化水Ｂとして浄化水貯留部（図示せず）に、固液分離部３で生成された汚泥濃縮水Ｃが汚泥濃縮水貯留部（図示せず）及び／又は生物処理部２に移送されるように構成されてなる。
具体的には、本実施形態の廃水処理装置１は、原水Ａを供給する原水供給経路４ａと、汚泥含有生物処理水を固液分離部３に移送する汚泥含有生物処理水移送経路４ｂと、浄化水Ｂを浄化水貯留部（図示せず）に移送する浄化水移送経路４ｃと、汚泥濃縮水Ｃを汚泥濃縮水貯留部（図示せず）に移送する汚泥濃縮水移送経路４ｄと、汚泥濃縮水Ｃを生物処理部２に移送する（返送する）汚泥濃縮水返送経路４ｅとを備えてなる。
【００２６】
前記生物処理部２は、汚泥含有生物処理水を膜濾過する膜ユニット２４と、該膜濃縮槽２１内を曝気する膜濃縮槽曝気手段２３とを備え、該膜ユニット２４により汚泥含有生物処理水が膜分離されて前記生物処理槽２１としての膜濃縮槽２１内の活性汚泥濃度が高まるように構成されてなる。該膜濃縮槽２１は、原水供給経路４ａを介して原水Ａが供給されるように構成されてなる。
【００２７】
また、本実施形態の廃水処理装置１は、膜ユニット２４により活性汚泥の濃度が高められた汚泥含有生物処理水に汚泥濃縮水Ｃが汚泥濃縮水返送経路４ｅを介して加えられるように構成されてなる。
【００２８】
さらに、本実施形態の廃水処理装置１は、ＭＬＳＳ濃度が高められた汚泥含有生物処理水の一部が前記膜濃縮槽２１外に排出され固液分離槽３１に供給され、固液分離により、固液分離処理水たる浄化水Ｂを得るように構成されてなる。
【００２９】
また、本実施形態の廃水処理装置１は、前記膜ユニット２４により得られた透過水を浄化水Ｂとして浄化水貯留部（図示せず）に移送するように構成されてなる。
具体的には、本実施形態の廃水処理装置１は、前記膜ユニット２４により得られた透過水を浄化水Ｂとして浄化水貯留部（図示せず）に移送する透過水移送経路４ｆを備えてなる。
【００３０】
前記膜ユニット２４は、槽内に配されてなり、具体的には、膜濃縮槽２１内の液面下に浸漬膜として設置されてなる。また、膜ユニット２４は、濾過膜を濾過膜を常時あるいは間欠的に曝気して該濾過膜に付着した凝集汚泥体等の汚れを取り除く膜曝気手段（図示せず）を備えてなる。
【００３１】
前記膜ユニット２４の濾過膜の種類としては、特に限定されるものではないが、例えば、限外濾過膜（ＵＦ膜）、精密濾過膜（ＭＦ膜）等が挙げられる。
【００３２】
前記濾過膜の構造としては、酢酸セルロース、芳香族ポリアミド、ポリビニールアルコール、ポリフッ化ビニリデン、ポリテトラフルオロエチレンなどの素材により形成された直径数ｍｍの中空糸状に形成されたいわゆる中空糸膜などと呼ばれるタイプのものや、薄い板状の膜たる平膜と呼ばれるタイプのものなど従来公知のものを採用することができる。
【００３３】
また、前記生物処理部２は、必要に応じて、活性汚泥を凝集させる担体２２を備えてなる。
具体的には、前記生物処理部２は、担体２２により活性汚泥を凝集させ、前記担体２２から凝集した活性汚泥（凝集汚泥体）を分離するように構成されてなる。さらに、前記生物処理部２は、凝集した活性汚泥（凝集汚泥体）及び廃水Ａを混合して混合水を生成するように構成されてなる。
【００３４】
また、前記担体２２は、図２に示すように、膜濃縮槽２１内の水面下に設けられてなる。また、前記担体２２は、前記活性汚泥が付着される付着体２２ａと該付着体２２ａを支持する支持部２２ｂとを備えてなる。さらに、前記担体２２は、曝気によって生じる水流で前記付着体２２ａが揺動するように構成されてなる。
【００３５】
前記付着体２２ａは、糸状に形成されてなる。
前記付着体２２ａを構成する材料は、前記活性汚泥が付着しやすいものであれば特に限定されるものではないが、該材料としては、例えば、アクリル樹脂、ポリエステル、ポリエチレン、炭素繊維等が挙げられる。
【００３６】
前記支持部２２ｂを構成する材料は、該付着体２２ａを支持するものであれば特に限定されるものではないが、該材料としては、例えば、ポリエステル、アクリル樹脂、ポリエチレン等の樹脂あるいはステンレス等の金属が挙げられる。
【００３７】
さらに、前記生物処理部２は、図１に示すように、前記膜濃縮槽２１と別体の槽となるように形成され、前記膜濃縮槽２１より排出された汚泥含有生物処理水を収容する収容槽２５と、該収容槽２５内を曝気する収容槽曝気手段２６と、前記膜濃縮槽２１外に排出された汚泥含有生物処理水を収容槽２５に移送する汚泥含有生物処理水移送経路４ｇとを備えてなる。
【００３８】
さらに、本実施形態の廃水処理装置１は、収容槽２５内の汚泥含有生物処理水に汚泥濃縮水Ｃが汚泥濃縮水返送経路４ｅにより加えられ生物処理され、生成された汚泥含有生物処理水が前記固液分離槽３１に供給されるように構成される。
【００３９】
また、本実施形態の廃水処理装置１は、原水供給経路４ａにより前記収容槽２５に原水Ａが供給されるように構成され、また、汚泥含有生物処理水移送経路４ｂにより収容槽２５の汚泥含有生物処理水が固液分離部３に移送されるように構成されてなる。
【００４０】
さらに、本実施形態の廃水処理装置１は、膜濃縮槽２１と収容槽２５とそれぞれに移送される廃水Ａの移送割合を調節して廃水Ａを該膜濃縮槽２１と該収容槽２５とに供給するように構成されてなる。
【００４１】
また、本実施形態の廃水処理装置１は、前記生物処理部２により汚泥含有生物処理水の活性汚泥濃度が高められてＭＬＳＳ（浮遊する活性汚泥）濃度が１０，０００ｍｇ／Ｌ以上となるようにしつつ、活性汚泥に対するＢＯＤの負荷（ＢＯＤ汚泥負荷）が０．２ｋｇＢＯＤ／ｋｇＳＳ／ｄ以下に設定されてなる。
【００４２】
前記固液分離槽３１は、汚泥含有生物処理水から、重力沈降により、固液分離処理水と汚泥濃縮水Ｃが生成されるように構成されてなる。
【００４３】
本実施形態の廃水処理装置は、上記の如く構成されてなるが、次ぎに、本実施形態の廃水処理方法について説明する。
【００４４】
本実施形態の廃水処理方法では、活性汚泥及び廃水Ａを混合し生物処理して汚泥含有生物処理水を得、該汚泥含有生物処理水を固液分離して浄化水Ｂを得る。
【００４５】
また、本実施形態の廃水処理方法では、前記膜ユニット２４により前記膜濃縮槽２１内で汚泥含有生物処理水を膜分離して該汚泥含有生物処理水の活性汚泥濃度を高めてＭＬＳＳ濃度を１０，０００ｍｇ／Ｌ以上、活性汚泥に対するＢＯＤの負荷（ＢＯＤ汚泥負荷）を０．２ｋｇＢＯＤ／ｋｇＳＳ／ｄ以下とする高濃度化工程と、ＭＬＳＳ濃度が高められた汚泥含有生物処理水の一部を前記膜濃縮槽２１外に排出して前記固液分離槽３１に供給し、固液分離により、固液分離処理水たる浄化水Ｂを得る浄化水生成工程とを実施する。
【００４６】
前記汚泥含有生物処理水のＭＬＳＳ濃度は、好ましくは、１００００〜３００００ｍｇ／Ｌにし、より好ましくは、１５０００〜２００００ｍｇ／Ｌにする。
【００４７】
前記ＢＯＤ汚泥負荷は、好ましくは、０．１０〜０．１９ｋｇＢＯＤ／ｋｇＳＳ／ｄにし、より好ましくは、０．０５〜０．１５ｋｇＢＯＤ／ｋｇＳＳ／ｄにする。
【００４８】
ＢＯＤ容積負荷は、好ましくは、０．１〜６ｋｇＢＯＤ／ｍ3 ／ｄにし、より好ましくは、１〜３ｋｇＢＯＤ／ｍ3 ／ｄにする。
【００４９】
本実施形態の廃水処理方法では、好ましくは、継続的に１日以上の継続時間で、前記汚泥含有生物処理水のＭＬＳＳ濃度を１０，０００ｍｇ／Ｌ以上にしつつ、前記ＢＯＤ汚泥負荷を０．２ｋｇＢＯＤ／ｋｇＳＳ／ｄ以下にする。
尚、「継続的に１日以上の継続時間で、前記汚泥含有生物処理水のＭＬＳＳ濃度を所定範囲内にしつつ、前記ＢＯＤ汚泥負荷を所定範囲内にする」には、“継続期間のうち一時的に、該ＭＬＳＳ濃度が所定範囲から外れた状態、及び／又は該ＢＯＤ汚泥負荷が所定範囲から外れた状態”の場合も含まれる。例えば、“継続期間のうち合計１／２０の期間、該ＭＬＳＳ濃度が所定範囲から外れた状態、及び／又は該ＢＯＤ汚泥負荷が所定範囲から外れた状態”の場合も含まれる。更には、“継続期間のうち合計１／１０の期間、該ＭＬＳＳ濃度が所定範囲から外れた状態、及び／又は該ＢＯＤ汚泥負荷が所定範囲から外れた状態”の場合も含まれる。
【００５０】
前記継続期間は、好ましくは、２日以上、より好ましくは、７日以上、さらに好ましくは、３０日〜２０年である。
【００５１】
また、本実施形態の廃水処理方法では、収容槽２５を用い、膜濃縮槽２１と該収容槽２５とそれぞれに移送される廃水Ａの移送割合を調節して廃水Ａを膜濃縮槽２１と収容槽２５とに供給する廃水供給工程と、収容槽２５に膜濃縮槽２１より排出された汚泥含有生物処理水を収容し且つ固液分離により得られた汚泥濃縮水Ｃを加えて生物処理し、生成した汚泥含有生物処理水を固液分離槽３１に供給する汚泥含有生物処理水供給工程とを実施する。
【００５２】
さらに、本実施形態の廃水処理方法では、前記活性汚泥として、担体２２により凝集されたものを用いる。
【００５３】
尚、本実施形態の廃水処理装置および廃水処理方法は、上記構成を有するものであったが、本発明の廃水処理装置および廃水処理方法は、上記構成に限定されず、適宜設計変更可能である。
【００５４】
即ち、本実施形態の廃水処理装置１は、収容槽２５を備えてなるが、図３に示すように、本発明の廃水処理装置１は、収容槽２５を備えない態様であってもよい。
【００５５】
斯かる廃水処理装置１は、膜濃縮槽２１より排出された汚泥含有生物処理水が汚泥含有生物処理水移送経路４ｂにより固液分離部３に移送されるように構成されてもよい。
【００５６】
また、斯かる廃水処理装置１は、膜濃縮槽２１内の汚泥含有生物処理水に汚泥濃縮水Ｃが加えられるように構成されてもよい。
【００５７】
さらに、本実施形態の廃水処理装置１は、固液分離処理水が浄化水Ｂとして浄化水貯留部（図示せず）に移送されるように構成されてなるが、本発明の廃水処理装置は、図４に示すように、固液分離部３に固液分離処理水を膜濾過する膜ユニット３２が備えられ、前記固液分離処理水から膜ユニット３２による膜濾過によって透過水たる浄化水Ｂを得るように構成されてもよい。この場合、本実施形態の廃水処理装置１は、膜ユニット３２の非透過水を一部放流するように構成されてもよい。斯かる廃水処理装置１は、固液分離槽３１にＳＭＰが蓄積されるのを抑制して、濾過膜の目詰まりを抑制することができる。
【００５８】
前記膜ユニット３２は、前記固液分離槽３１内の液面下に浸漬膜として設置されてなる。また、膜ユニット３２は、濾過膜を常時あるいは間欠的に曝気して該濾過膜に付着した凝集汚泥体等の汚れを取り除く膜曝気手段（図示せず）を備えてなる。
【００５９】
前記膜ユニット３２は、図４に示すように、浸漬膜として設置されてなるが、図５に示すように、膜ユニット３２が容器に濾過膜が収納されたタイプであり、固液分離槽３１の槽外に設置され、且つ固液分離処理水がポンプ３３を介して加圧されてから該膜ユニット３２に供給されるように構成されてもよい。この場合も、本実施形態の廃水処理装置１は、前記の理由により膜ユニット３２の非透過水の一部を放流するように構成されてもよい。
【００６０】
前記膜ユニット３２が固液分離槽３１の槽外に設置されてなる廃水処理装置は、前記膜ユニット３２により生成される非透過水が混合水の一部として生物処理部２に移送されるように構成されてなる。具体的には、該非透過水を移送する非透過水移送経路４ｈを備えてなる。
【００６１】
また、本実施形態の廃水処理装置１は、膜濃縮槽２１内で凝集汚泥体を生成するように構成されてなるが、本発明の廃水処理装置は、膜濃縮槽２１の代わりに収容槽２５内で凝集汚泥体を生成するように構成されてもよく、また、膜濃縮槽２１及び収容槽２５内で集汚泥体を生成するように構成されてもよい。
また、図６に示すように、本実施形態の廃水処理装置１は、前記生物処理部２に、前記生物凝集手段により凝集汚泥体を生成する生物凝集槽２７が備えられ、前記固液分離部３により生成された汚泥濃縮水Ｃが生物凝集槽２７に移送され、前記生物凝集槽２７により生成された凝集汚泥体が収容槽２５に移送されるように構成されてもよい。尚、前記生物凝集槽２７により生成された凝集汚泥体が膜濃縮槽２１に移送されるように構成されてもよい。
斯かる廃水処理装置１は、活性汚泥が濃縮された汚泥濃縮水Ｃに含まれる活性汚泥が凝集されるように構成されてなることにより、より一層効率よく凝集汚泥体を生成し得るという利点がある。また、汚泥濃縮水Ｃを返送するためのエネルギーを有効利用することができるという利点もある。
【００６２】
斯かる廃水処理装置１は、前記固液分離部３により生成された汚泥濃縮水Ｃを前記生物凝集槽２７に移送する汚泥濃縮水移送経路４ｉと、前記生物凝集槽２７で生成された凝集汚泥体を膜濃縮槽２１に移送する凝集汚泥体移送経路４ｊとを備えてなる。
【００６３】
また、斯かる廃水処理装置１は、必要に応じて、前記生物凝集槽２７内を曝気する生物凝集槽曝気手段（図示せず）を備えてなるが、該生物凝集槽曝気手段（図示せず）を備えない態様であってもよい。
【００６４】
さらに、斯かる廃水処理装置１は、前記生物凝集槽２７が前記膜濃縮槽２１及び収容槽２５と別体の槽となるように形成されてなる。
【００６５】
また、斯かる廃水処理装置１は、好ましくは、前記生物凝集手段が、担体２２により前記活性汚泥を凝集させ前記担体２２から前記凝集汚泥体を分離させて生成するものであり、前記担体２２が、活性汚泥が付着される付着体２２ａと該付着体２２ａを支持する支持部２２ｂとを備えてなり、前記汚泥濃縮水移送経路４ｉから前記生物凝集槽２７に移送される汚泥濃縮水の水流によって前記付着体２２ａが揺動するように構成されてなる。
斯かる廃水処理装置１は、水流によって前記付着体２２ａが揺動するように構成されてなることにより、エネルギー効率良く凝集汚泥体が担体２２から分離され得るという利点がある。また、効率よく凝集汚泥体を生成することができることから、凝集汚泥体の生成効率を低下させずに、担体２２の大きさを小さくし得るという利点もある。
【００６６】
また、斯かる廃水処理装置１は、生物凝集槽２７が担体２２により活性汚泥を凝集させるように構成されてなる代わりに、生物凝集槽２７として、汚泥濃縮水Ｃが乱流で移送され得るように移送経路の長さが延長されたものや経路が細分化されたもの、具体的には、図７に示すような流路がジグザグにされたものや、図８に示すような多管状（ハニカム状）のものや、図９に示すようなスタティクミキサーが設けられてなるものを備えてもよい。斯かる廃水処理装置１によれば、高速に活性汚泥を壁様のものに衝突させることができるため、効率良く凝集汚泥体を生成し得るという利点がある。
【００６７】
さらに、斯かる廃水処理装置１は、槽内に配されてなるが、槽外に配されてもよい。具体的には、図１０に示すように、斯かる廃水処理装置１は、膜ユニット２４が容器に濾過膜が収納されたタイプであり、膜濃縮槽２１の槽外に設置され、且つ汚泥含有生物処理水がポンプ２８を介して加圧されてから該膜ユニット２４に供給されるように構成されてもよい。
【００６８】
前記膜ユニット２４が膜濃縮槽２１の槽外に設置されてなる廃水処理装置１は、前記膜ユニット２４により生成される非透過水が混合水の一部として膜濃縮槽２１に移送されるように構成されてなる。具体的には、斯かる廃水処理装置１は、該非透過水を混合水の一部として膜濃縮槽２１に移送する非透過水移送経路４ｋを備えてなる。
【実施例】
【００６９】
次に、試験例を挙げて本発明についてさらに具体的に説明する。
【００７０】
（試験例１）
槽（水収容可能容量：１０Ｌ、内寸：０．１５ｍ（幅）×０．１５ｍ（奥行き）×０．４５ｍ（高さ））、担体としてのバイオフリンジ（登録商標）（エヌ・イー・ティ社製）、及び曝気手段としてのポンプを用いて、活性汚泥を凝集し、該凝集した活性汚泥（凝集汚泥体）と廃水とを混合して混合水を生成し該混合水を生物処理して汚泥含有生物処理水を得た。具体的には、汚泥含有生物処理水貯留槽内のＭＬＳＳ濃度を所定値となるようにしつつ、槽内の活性汚泥に対するＢＯＤ負荷（ＢＯＤ汚泥負荷）を所定値にとなるように３０〜９０日間以上維持して、混合水を生物処理して汚泥含有生物処理水を得た。
尚、汚泥含有生物処理水貯留槽内のＭＬＳＳ濃度を所定値となるようにしつつ、汚泥含有生物処理水貯留槽内の活性汚泥に対するＢＯＤ負荷（ＢＯＤ汚泥負荷）を所定値にとなるように維持する期間は、１０日以上であれば、ＳＶ３０、ＳＶＩ、５Ｃ透過量に前記期間の違いによる影響はない。
試験例１で実施した混合水の生物処理におけるＭＬＳＳ濃度とＢＯＤ汚泥負荷との組み合わせを図１１に示す。
尚、ＭＬＳＳ濃度、及びＢＯＤ汚泥負荷は、ＪＩＳ  Ｂ  ９９４４−１９７８に従って測定及び算出した。
【００７１】
（試験例２）
担体を用いなかったこと以外は、試験例１と同様にして、汚泥含有生物処理水を得た。
試験例２で実施した混合水の生物処理におけるＭＬＳＳ濃度とＢＯＤ汚泥負荷との組み合わせを図１２に示す。
【００７２】
試験例の汚泥含有生物処理水を下記の試験に供した。
【００７３】
（ＳＶ３０、ＳＶＩの測定）
試験例の汚泥含有生物処理水の活性汚泥沈降率（ＳＶ３０）、及び汚泥体積指標（ＳＶＩ）は、ＪＩＳ  Ｂ  ９９４４−１９７８に従って測定及び算出した。
【００７４】
（５Ｃ透過量の測定）
濾過器上に５種Ｃ（ＪＩＳ  Ｐ  ３８０１）の濾紙（アドバンテック東洋社製、直径１５ｃｍ）を載置し、該濾紙上に試験例の汚泥含有生物処理水を５０ｍＬ滴下し、滴下してから５分経過した時に濾紙を透過した濾液（透過水）の量（５Ｃ透過量）を測定した。
【００７５】
上記試験の結果を、試験例１に関しては表１に、試験例２に関しては表２に示す。尚、表１、表２において、ＳＶＩ、ＭＬＳＳ濃度、ＳＶ３０、５Ｃ透過量として、算出平均値が示されている。
【００７６】
【表１】
0005469947.tif 000002
【００７７】
【表２】
0005469947.tif 000003
【００７８】
試験例１−４および２−４の汚泥含有生物処理水では、ＢＯＤ汚泥負荷が０．２ｋｇＢＯＤ／ｋｇＳＳ／ｄを超え且つＭＬＳＳ濃度が１０，０００ｍｇ／Ｌ未満である条件の試験例１−１、ＭＬＳＳ濃度が１０，０００ｍｇ／Ｌ未満である条件の試験例１−２、ＢＯＤ汚泥負荷が０．２ｋｇＢＯＤ／ｋｇＳＳ／ｄを超えている条件の試験例１−３、および担体を用いなかった試験例２−１〜２−３に比して、ＳＶ３０及びＳＶＩが低い値を示した。
また、試験例１−４および２−４の汚泥含有生物処理水では、試験例１−１〜１−３、２−１〜２−３に比して、５Ｃ透過量が高い値を示した。
【符号の説明】
【００７９】
１：廃水処理装置、２：生物処理部、３：固液分離部、４ａ：原水供給経路、４ｂ：汚泥含有生物処理水移送経路、４ｃ：浄化水移送経路、４ｄ：汚泥濃縮水移送経路、４ｅ：汚泥濃縮水返送経路、４ｆ：透過水移送経路、４ｇ：汚泥含有生物処理水移送経路、４ｈ：非透過水移送経路、４ｉ：汚泥濃縮水移送経路、４ｊ：凝集汚泥体移送経路、４ｋ：非透過水移送経路、２１：生物処理槽（膜濃縮槽）、２２：担体、２２ａ：付着体、２２ｂ：支持部、２３：膜濃縮槽曝気手段、２４：膜ユニット、２５：収容槽、２６：収容槽曝気手段、２７：生物凝集槽、２８：ポンプ、３１：固液分離槽、３２：膜ユニット、３３：ポンプ、Ａ：廃水、Ｂ：浄化水、Ｃ：汚泥濃縮水
【図１】
0005469947.tif 000004
【図２】
0005469947.tif 000005
【図３】
0005469947.tif 000006
【図４】
0005469947.tif 000007
【図５】
0005469947.tif 000008
【図６】
0005469947.tif 000009
【図７】
0005469947.tif 000010
【図８】
0005469947.tif 000011
【図９】
0005469947.tif 000012
【図１０】
0005469947.tif 000013
【図１１】
0005469947.tif 000014
【図１２】
0005469947.tif 000015